(57)【要約】【課題】キー照明を維持しつつ状態表示を可能にする携帯機器の状態表示方法および装置を提供する。【解決手段】キーバックライト機能を有する携帯機器における状態表示装置は、複数のキーＫ１−ＫＮをそれぞれ個別に照明可能な複数のカラーバックライトＬ１−ＬＮと、携帯機器が所定の動作状態にある時、カラーバックライトＬ１−ＬＮを一定の色で点灯させることで複数のキーＫ１−ＫＮを照明した状態で、動作状態に対応する状態表示点灯パターンに従ってカラーバックライトを一定の色とは異なる色に変化させる制御手段（１０３，１０５）と、を有する。【選択図】図１
2010033224.tif 000002
【特許請求の範囲】
【請求項１】
キーバックライト機能を有する携帯機器における状態表示装置であって、
複数のキーをそれぞれ個別に照明可能な複数のカラー発光手段と、
前記携帯機器が所定の動作状態にある時、前記複数のカラー発光手段を一定の色で点灯させることで前記複数のキーを照明した状態で、前記動作状態に対応する状態表示点灯パターンに従ってカラー発光手段を前記一定の色とは異なる色に変化させる制御手段と、
を有することを特徴とする状態表示装置。
【請求項２】
前記制御手段は、前記状態表示点灯パターンの形状および／または色が前記動作状態に応じて変化するように前記カラー発光手段を制御することを特徴とする請求項１に記載の状態表示装置。
【請求項３】
前記制御手段は、前記動作状態の変化に応じて前記状態表示点灯パターンの形状および／または色がアニメーションで変化するように前記カラー発光手段を制御することを特徴とする請求項１または２に記載の状態表示装置。
【請求項４】
前記複数のキーを一定の色で照明するためのキー照明パターンと、前記携帯機器の複数の動作状態にそれぞれ対応して１以上のキーを所定の色および形態で照明する複数の状態表示点灯パターンと、を格納した点灯パターン格納手段を更に有し、
前記制御手段は前記点灯パターン格納手段に格納されたキー照明パターンおよび状態表示点灯パターンを用いて前記カラー発光手段を制御することを特徴とする請求項１−３のいずれか１項に記載の状態表示装置。
【請求項５】
複数のキーをそれぞれ個別に照明可能なキーバックライト機能を有する携帯機器における状態表示方法であって、
前記携帯機器が所定の動作状態にある時、前記複数のキーを一定の色で照明し、
前記動作状態に対応する状態表示点灯パターンに従ってキーを前記一定の色とは異なる色に変化させる、
ことを特徴とする状態表示方法。
【請求項６】
前記状態表示点灯パターンの形状および／または色が前記動作状態に応じて変化することを特徴とする請求項５に記載の状態表示方法。
【請求項７】
前記動作状態の変化に応じて前記状態表示点灯パターンの形状および／または色がアニメーションで変化することを特徴とする請求項５または６に記載の状態表示方法。
【請求項８】
前記複数のキーを一定の色で照明するためのキー照明パターンと、前記携帯機器の複数の動作状態にそれぞれ対応して１以上のキーを所定の色および形態で照明する複数の状態表示点灯パターンと、を点灯パターン格納手段に格納し、
前記点灯パターン格納手段に格納されたキー照明パターンおよび状態表示点灯パターンを用いて前記キーバックライト機能を制御することを特徴とする請求項５−７のいずれか１項に記載の状態表示方法。
【請求項９】
複数のキーをそれぞれ個別に照明可能なキーバックライト機能を有する携帯機器における状態表示装置としてコンピュータを機能させるプログラムであって、
前記携帯機器が所定の動作状態にある時、前記複数のキーを一定の色で照明する機能と、
前記動作状態に対応する状態表示点灯パターンに従ってキーを前記一定の色とは異なる色に変化させる機能と、
を前記コンピュータに実現することを特徴とするプログラム。
【請求項１０】
請求項１−４のいずれか１項に記載の状態表示装置を有する携帯通信端末。
【請求項１１】
請求項５−８のいずれか１項に記載の状態表示方法を実行する携帯通信端末。
【請求項１２】
請求項８に記載のプログラムを実行するプログラム制御プロセッサを有する携帯通信端末。
【発明の詳細な説明】
【技術分野】
【０００１】
本発明はキーバックライト機能を有する携帯機器に係り、特にキーバックライト機能を用いた携帯機器の状態表示方法および装置に関する。
【背景技術】
【０００２】
キー入力部を照明するキーバックライト機能を有する携帯機器には、複数の入力キーを個別に点灯／消灯制御できるものが提案されている。たとえば、特許文献１に開示された携帯端末は、バッテリの蓄電量に応じて、緑色ＬＥＤあるいは赤色ＬＥＤを予め設定された発光パターンで点灯／消灯させる。
【０００３】
また、特許文献２に開示された携帯電話機は、複数のキーをバックから照明する多色発光部を有し、複数のキーが電話機動作に応じて点灯または点滅するように制御される。さらに、特許文献３に開示された通信装置は、複数のバックライトパターンを利用して様々な状態情報をユーザに伝達することができる。
【０００４】
【特許文献１】特開平１０−１４５４７５号公報
【特許文献２】特開２００１−２１７９０４号公報
【特許文献３】特表２００６−５２０１２５号公報
【発明の開示】
【発明が解決しようとする課題】
【０００５】
しかしながら、上述したキーバックライト機能を利用した状態表示方法では、バッテリ残量や通信装置の状態などをバックライトパターンで表示することができるが、バックライトパターンで消灯されたキーは照明されなくなり、当初のキーバックライトの機能を果たすことができなくなる。
【０００６】
そこで、本発明の目的は、キー照明を維持しつつ状態表示を可能にする携帯機器の状態表示方法および装置を提供することにある。
【課題を解決するための手段】
【０００７】
本発明による状態表示装置は、キーバックライト機能を有する携帯機器における状態表示装置であって、複数のキーをそれぞれ個別に照明可能な複数のカラー発光手段と、前記携帯機器が所定の動作状態にある時、前記複数のカラー発光手段を一定の色で点灯させることで前記複数のキーを照明した状態で、前記動作状態に対応する状態表示点灯パターンに従ってカラー発光手段を前記一定の色とは異なる色に変化させる制御手段と、を有することを特徴とする。
【０００８】
本発明による状態表示方法は、複数のキーをそれぞれ個別に照明可能なキーバックライト機能を有する携帯機器における状態表示方法であって、前記携帯機器が所定の動作状態にある時、前記複数のキーを一定の色で照明し、前記動作状態に対応する状態表示点灯パターンに従ってキーを前記一定の色とは異なる色に変化させる、ことを特徴とする。
【発明の効果】
【０００９】
本発明により、キー照明を維持しつつ状態表示が可能となる。
【発明を実施するための最良の形態】
【００１０】
１．一実施形態
図１は本発明の一実施形態による状態表示装置の概略的機能構成を示すブロック図である。ここでは、操作部１０１の複数の入力キーＫ１〜ＫＮがそれぞれカラーバックライトＬ１〜ＬＮにより個別に照明される携帯機器の状態表示装置を例示する。入力キーＫ１〜ＫＮには、たとえばテンキーや決定キーなどが含まれる。カラーバックライトＬ１〜ＬＮの各々は、たとえばＲＧＢ発光ダイオード（ＬＥＤ）からなり、ＲＧＢ光の強度をそれぞれ調整することで複数の所定色を発光することができる。
【００１１】
入力キーＫ１〜ＫＮは入力制御部１０２に接続され、カラーバックライトＬ１〜ＬＮはキーバックライト制御部１０３に接続されている。入力制御部１０２、キーバックライト制御部１０３および点灯パターンリストメモリ１０４は処理部１０５にバス接続され、後述するように処理部１０５により制御される。処理部１０５は、たとえばＣＰＵ（中央処置装置）等のプログラム制御プロセッサであり、プログラムを格納したメモリ（図示せず）からプログラムを読み出して実行することにより、後述する本実施形態による状態表示動作を実行する。
【００１２】
点灯パターンリストメモリ１０４には、動作状態あるいは動作の進行状態に応じたキーバックライト点灯パターンリストが格納されている。キー照明モードでは、入力キーＫ１〜ＫＮの全てを所定の色あるいは所定色のグラデーションで照明するための点灯パターンが選択可能であり、状態表示モードでは、色、形状およびそれらのアニメーションの点灯パターンが選択可能である。処理部１０５は、後述するように、点灯パターンを選択し、選択した点灯パターンをキーバックライト制御部１０３へ出力することで、当該点灯パターンでカラーバックライトＬ１〜ＬＮを点灯させることができる。
【００１３】
図２は本実施形態による状態表示装置の状態表示動作を示す概略的フローチャートである。ここでは、説明を簡略化するために、状態表示を行う動作Ａとして、データ通信、通話、決定キー操作およびキー操作ガイダンスが予め定められているものとする。ただし、これに限定されるものではなく、動作Ａとして所望の動作を設定することができる。
【００１４】
ユーザのキー操作により処理部１０５が動作Ａを起動したとすると（ステップＳ２０１）、処理部１０５は点灯パターンリストメモリ１０４にアクセスしてキー照明モードの点灯パターンを読み出し、それに従ってキーバックライト制御部１０３を制御して全てのカラーバックライトＬ１〜ＬＮを一定色に点灯させる（ステップＳ２０２）。続いて、動作Ａの種類によって点灯パターン表示を行う。
【００１５】
動作Ａがデータ通信であれば、処理部１０５は点灯パターンリストメモリ１０４から動作Ａの状態に対応する状態表示点灯パターンを読み出し、それに従ってキーバックライト制御部１０３を制御して、対応するカラーバックライトの発光色をキー照明時の一定色から当該点灯パターンで指定された別の色に変化させる（ステップＳ２０４）。たとえば、動作Ａが赤外線通信である場合、キー照明のキーバックライトの点灯パターンをすべて白色で点灯とし、赤外線通信の進行が進むにつれてキーバックライトの黄色の点灯箇所が増えていくような状態表示点灯パターンを点灯パターンリストメモリ１０４に格納しておくことで、赤外線通信の進行状況をキーバックライトの色の変化のみで連続的に示すことが可能となる。
【００１６】
動作Ａが通話、決定キー操作、キー操作ガイダンスあるいはその他の動作の場合も、それぞれ同様の別色点灯パターン表示が行われる（ステップＳ２０５、Ｓ２０６、Ｓ２０７）。詳しくは後述する。
【００１７】
２．一実施例
２．１）構成
図３は本発明の一実施例による携帯電話機の回路構成の要部を示したブロック図である。本実施例の携帯電話機はＣＰＵ１０を搭載しており、ＣＰＵ１０はバスを介して装置内の読み出し専用メモリ（ＲＯＭ）２０、作業用メモリ３０、送受信部４０、入力キー制御部５０、キーバックライト制御部６０、および、表示制御部７０をそれぞれ制御する。
【００１８】
ＲＯＭ２０は、ＣＰＵ１０が動作するための各種制御用プログラムや点灯パターンリスト等の固定データを格納したリード・オンリ・メモリである。作業用メモリ３０は、ＲＡＭ（ランダム・アクセス・メモリ）によって構成されており、ＣＰＵ１０がプログラムを実行する上で一時的に必要とされるデータを格納する。
【００１９】
送受信部４０は、携帯電話システムの基地局と無線通信を行うための回路である。入力制御部５０は入力キー５０１〜５２４からのキー入力を検知する回路である。キーバックライト制御部６０はキーバックライト６０１〜６２４をそれぞれ制御し、各キーバックライトはＲＧＢを１組とする発光素子により構成されている。キーバックライト制御部６０は、各キーバックライトのＲＧＢ発光素子を個別に制御することにより複数の色で点灯させることが可能である。ここで、キーバックライト６０１は入力キー５０１のみを照明し、同様にキーバックライト６０２〜６２４もそれぞれ入力キー５０２〜５２４のみを照明するように構成され、全入力キーの同時同色点灯や入力キーそれぞれを異なる色で点灯させることも可能である。
【００２０】
表示制御部７０は表示部７１の表示を制御する制御回路である。表示部７１は白黒あるいはカラー液晶パネルあるいは有機ＥＬ（電子蛍光）等からなる表示装置である。また、マイク８０およびスピーカ９０は、音声処理部（図示せず）を介してバスに接続され、ＣＰＵ１０により制御される。マイク８０は音声を送話信号に変換する送話器、スピーカ９０は受話信号を音声に変換する受話器であり、メロディ・音声・確認音等を出力するために用いられる。
【００２１】
図４は本実施例による携帯電話機の外観を示す平面図である。ここでは、ストレート式携帯電話機を例示するが、これに限定されるものではなく、折り畳み式あるいはスライド式であってもよい。携帯電話機の筐体１のフロント面には、図３に示す表示部７１、マイク８０、スピーカ９０が配置され、更に表示部７１の下に入力キー５０１−５２４が所定のレイアウトで配置されている。入力キー５０１−５２４の下にはキーバックライト６０１−６２４がそれぞれ設けられ、各入力キーが対応するキーバックライトで所望の色で照明される。
【００２２】
図５（Ａ）はＲＯＭ２０に格納されたキー照明点灯パターンリストの一例を示す模式図、図５（Ｂ）はＲＯＭ２０に格納された状態表示点灯パターンリストの一例を示す模式図である。なお、「キー照明」とは、入力キー５０１〜５２４をすべて照明するためにキーバックライト６０１〜６２４をすべて任意の一色で点灯させることをいう。
【００２３】
図５（Ａ）に示すように、本実施例による携帯電話機では、キー照明の際に個々のキーバックライトをどの色で点灯させるかを記した「キー照明の点灯パターン」を１つのデータテーブルとして使用する。たとえば、「全点灯白」の点灯パターンを用いると、キーバックライト６０１〜６２４はすべて白で点灯され、入力キー５０１〜５２４のすべてが白一色で照明されることとなる。また、「全点灯グラデーション」の点灯パターンを用いると、キーバックライト６０１〜６２４の全てが一色で、かつ、たとえば図４の筐体１の上から下に向けて発光強度が徐々に上昇するように点灯され、入力キー５０１〜５２４のすべてがグラデーションを持って照明されることとなる。
【００２４】
図５（Ｂ）に示す状態表示点灯パターンリストは、入力キー５０１〜５１４の一部に対応するキーバックライトについてのみ色を変更させるためのデータテーブルである。たとえば、数字“１”を示す入力キー５０１が押下されると、ガイダンス点灯パターンＡに従った一部のキーバックライトの色が変更され、その他のキー照明は変更しない。ここでは、その入力キー５０１およびそれに続いて押下すべきキーの色だけが変更される。
【００２５】
また、決定キー５１７が押下されると、対応するキーバックライト６１７が「黄」、「青」、「消灯」の順に０．１秒毎に切り替わる点灯パターンが使用され、キー５１７以外のキー照明は変更しない。「点灯パターンＰ（２５）」に示すような点灯パターンを用いると、後述するように、一部キーバックライト６１０〜６１２のみキー照明の色から黄色へ変更し、その他のキーバックライトはキー照明の色のまま変更しないこととなる。
【００２６】
２．２）動作例１
以下、図６〜図８を参照しながら、赤外線通信を一例として本実施例の状態表示を説明する。
【００２７】
図６は携帯電話の赤外線通信におけるデータ送信時の状態表示例を示すフローチャート、図７（Ａ）〜（Ｄ）は赤外線通信の進行状況に対応するデータテーブルの一例を示す図、図８は赤外線通信の進行状況を示す点灯パターンの一例を示す図である。
【００２８】
図６において、ユーザにより赤外線通信のデータ送信を起動するキー操作が行われると（ステップＳ３０１）、ＣＰＵ１０は、ＲＯＭ２０に格納されたキー照明の点灯パターンリストから、たとえば全点灯白の点灯パターンを取得する（ステップＳ３０２）。ＣＰＵ１０は、取得した点灯パターンに従ってキーバックライト制御部６０を制御し、キーバックライト６０１〜６２４の全てを白色で点灯させる（ステップＳ３０３）。
【００２９】
続いて、ＣＰＵ１０は赤外線通信の進行状況の監視をする（ステップＳ３０４）。送信開始時は進行０％であるから、全点灯白の点灯パターン（キー照明状態）のままでキーバックライト６０１〜６２４の全てが白色点灯される（ステップＳ３０９）。
【００３０】
赤外線通信の進行２５％を検知すると、ＣＰＵ１０はＲＯＭ２０に格納された点灯パターンＰ（２５）を取得し（ステップＳ３０５）、点灯パターンＰ（２５）に従ってキーバックライト制御部６０を制御する（ステップＳ３０９）。点灯パターンＰ（２５）は、図７（Ａ）に示すように、キーバックライト６１０〜６１２のみが黄色に変更され、その他のキーバックライトは全てキー照明と同じで変更されていない。したがって、図８（Ａ）に示すように、キーバックライト６１０〜６１２にそれぞれ対応する入力キー５１０〜５１２のみが黄に照明され、その他の入力キー５０１〜５０９および５１３〜５２４は白色のままである。その際、表示部７１に赤外線通信の進行状況をたとえば２５％というように表示することも可能である。
【００３１】
赤外線通信の進行５０％を検知すると、ＣＰＵ１０はＲＯＭ２０に格納された点灯パターンＰ（５０）を取得し（ステップＳ３０６）、点灯パターンＰ（５０）に従ってキーバックライト制御部６０を制御する（ステップＳ３０９）。点灯パターンＰ（５０）は、図７（Ｂ）に示すように、キーバックライト６０７〜６１２のみが黄色に変更され、その他のキーバックライトは全てキー照明と同じで変更されていない。したがって、図８（Ｂ）に示すように、キーバックライト６０７〜６１２にそれぞれ対応する入力キー５０７〜５１２のみが黄に変化し、その他の入力キー５０１〜５０６および５１３〜５２４はここでは白色のままである。その際、表示部７１に赤外線通信の進行状況をたとえば５０％というように表示することも可能である。
【００３２】
赤外線通信の進行７５％を検知した場合も同様であり、ステップＳ３０７で取得された点灯パターンＰ（７５）は、図７（Ｃ）に示すように、キーバックライト６０４〜６１２のみが黄色に変更され、その他のキーバックライトは全てキー照明と同じで変更されていない。したがって、図８（Ｃ）に示すように、キーバックライト６０４〜６１２にそれぞれ対応する入力キー５０４〜５１２のみが黄に変化し、その他の入力キー５０１〜５０３および５１３〜５２４は白色のままである。その際、表示部７１に赤外線通信の進行状況をたとえば７５％というように表示することも可能である。
【００３３】
そして、赤外線通信の進行１００％を検知すると、ＣＰＵ１０はＲＯＭ２０に格納された点灯パターンＰ（１００）を取得し（ステップＳ３０８）、点灯パターンＰ（１００）に従ってキーバックライト制御部６０を制御する（ステップＳ３０９）。点灯パターンＰ（１００）は、図７（Ｄ）に示すように、キーバックライト６０１〜６１２のみが青色に変更され、その他のキーバックライトは全てキー照明と同じで変更されていない。したがって、図８（Ｄ）に示すように、キーバックライト６０１〜６１２にそれぞれ対応する入力キー５０１〜５１２のみが青に変化し、その他の入力キー５０１〜５０６および５１３〜５２４は白色のままである。その際、表示部７１に赤外線通信の進行状況をたとえば１００％というように表示することも可能である。
【００３４】
このように、赤外線通信のデータ送信が進行するに従って、最初の全点灯白のキー照明状態から、図８（Ａ）〜（Ｄ）に示すように、赤く照明されたキー部分が最下段から徐々に上昇して行き、最後に全て青く照明された４段のキーがデータ送信完了を表示する。
【００３５】
すなわち、キー照明を基底状態として、一部のキーバックライトの色の変更で赤外線通信の進行状況を示すことができる。言い換えれば、赤外線通信の進行状況に合わせてキーバックライトの色が連続して変化するような点灯パターンＰ（２５）〜Ｐ（１００）を作成しておくことで、赤外線通信の進行状況を視覚的に示すことができる。
【００３６】
特に、赤外線通信の進行途中の状態（図８（Ａ）〜（Ｃ））と赤外線通信が完了した状態（図８（Ｄ））で、色が異なる点灯パターンを作成しておくことで、赤外線通信が完了したことをキーバックライトの色によって示すこともできる。
【００３７】
２．３）動作例２
本実施例によれば、電池レベルあるいは電池残量を点灯パターンで表示することもできる。以下、図９を参照しながら説明する。
【００３８】
図９（Ａ）〜（Ｃ）は電池レベルを表示する点灯パターンの一例を示す図である。まず、図９（Ａ）、（Ｂ）および（Ｃ）に示す点灯パターンＰ（ＢＬ３）、Ｐ（ＢＬ２）およびＰ（ＢＬ１）をＲＯＭ２０の状態表示点灯パターンリストに登録しておく。たとえば、図９（Ａ）の緑の点灯パターンをフル充電状態とし、図９（Ｂ）および（Ｃ）の赤い点灯パターンで電池の使用量、緑の点灯パターンで電池残量をそれぞれ示すものとする。
【００３９】
この場合、図６のフローチャートにおいて、ＣＰＵ１０は、キー照明によりキーバックライトを点灯させた後（ステップＳ３０２、Ｓ３０３に対応）、電池レベルを監視する（ステップＳ３０４に対応）。そして、ＣＰＵ１０は、電池レベルに応じて図９（Ａ）、（Ｂ）あるいは（Ｃ）に示す点灯パターンを取得し（ステップＳ３０５〜Ｓ３０８に対応）、取得した点灯パターンでキーバックライトを点灯させる（ステップＳ３０９に対応）。したがって、電池レベルが低下するに従って、ここでは図９（Ａ）から図９（Ｃ）へ点灯パターンの赤色の個数が増大し、緑色の個数が減少するように変化する。
【００４０】
２．４）動作例３
本実施例は低電圧警報の状態表示にも適応できる。以下、図１０を参照しながら説明する。
【００４１】
図１０（Ａ）および（Ｂ）は低電圧警報を表示する点灯パターンの一例を示す図である。まず、図１０（Ａ）および（Ｂ）に示す点灯パターンＰ（ＡＬ１）およびＰ（ＡＬ２）をＲＯＭ２０の状態表示点灯パターンリストに登録しておく。たとえば、図１０（Ａ）の赤の点灯パターンＰ（ＡＬ１）で電池のイメージを表示し、図１０（Ｂ）の赤い×形状の点灯パターンＰ（ＡＬ２）で低電圧状態を表示するものとする。
【００４２】
この場合、図６のフローチャートにおいて、ＣＰＵ１０は、キー照明によりキーバックライトを点灯させた後（ステップＳ３０２、Ｓ３０３に対応）、電池の電圧レベルを監視する（ステップＳ３０４に対応）。ＣＰＵ１０は、低電圧を検出すると、図１０（Ａ）および（Ｂ）に示す点灯パターンを所定周期で交互に取得し、交互に取得した点灯パターンでキーバックライトを点灯させる（ステップＳ３０９に対応）。これによって、キーバックライトのみで低電圧警報を効果的に示すことができ、特に動的なイメージで表示することができ、視覚的な効果も大きくなる。
【００４３】
２．５）動作例４
本実施例は、携帯電話機に搭載されたカメラのオートフォーカス（ＡＦ）の合焦状態の表示にも適応できる。以下、図１１を参照しながら説明する。
【００４４】
図１１（Ａ）〜（Ｃ）はＡＦ合焦状態を表示する点灯パターンの一例を示す図である。まず、図１１（Ａ）、（Ｂ）および（Ｃ）に示す点灯パターンＰ（ＮＧ）、Ｐ（Ｆ）およびＰ（Ｌ）をＲＯＭ２０の状態表示点灯パターンリストに登録しておく。たとえば、図１１（Ａ）に示すように決定キー５１７を赤く照明した点灯パターンＰ（ＮＧ）でピントが合っていない状態を表示し、図１１（Ｂ）に示すように決定キー５１７および矢印キー５１３〜５１６を赤く照明した点灯パターンＰ（Ｆ）で合焦状態を表示し、図１１（Ｃ）に示すように矢印キー５１３〜５１６を赤く照明した点灯パターンＰ（Ｌ）でオートフォーカスをロックした状態を表示する。そして、ＣＰＵ１０は、オートフォーカスの状態に応じて、これらの点灯パターンを取得し、取得した点灯パターンでキーバックライトを点灯させる。
【００４５】
２．６）動作例５
本実施例によれば、時間の進行を点灯パターンで表示することもできる。以下、図１２を参照しながら説明する。
【００４６】
図１２（Ａ）〜（Ｄ）はキッチンタイマの残り時間を表示する点灯パターンの一例を示す図である。図１２（Ａ）、（Ｂ）、（Ｃ）、（Ｄ）・・・に示す点灯パターンＰ（Ｔ９）、Ｐ（Ｔ８）、Ｐ（Ｔ７）、Ｐ（Ｔ６）・・・をＲＯＭ２０の状態表示点灯パターンリストに登録しておく。あるいは基本となる点灯パターンＰ（Ｔ９）から時間の経過に従って順次点灯キーバックライトの色を変化させるように計算してもよい。
【００４７】
この場合、図６のフローチャートにおいて、ＣＰＵ１０は、キー照明によりキーバックライトを点灯させた後（ステップＳ３０２、Ｓ３０３に対応）、タイマの経過時間を監視する（ステップＳ３０４に対応）。そして、ＣＰＵ１０は、タイマの残り時間に応じて図１２（Ａ）、（Ｂ）、（Ｃ）、（Ｄ）・・・に示す点灯パターンを取得し（ステップＳ３０５〜Ｓ３０８に対応）、取得した点灯パターンでキーバックライトを点灯させる（ステップＳ３０９に対応）。したがって、タイマの残り時間に従って、ここでは図１２（Ａ）から図１２（Ｄ）へ点灯パターンの赤色の個数が順次減少するように変化する。
【００４８】
このように、キーバックライトの点灯パターンのみでキッチンタイマの残り時間を動的に表示することができ、視覚的な効果が増大する。
【００４９】
２．７）動作例６
本実施例によれば、データ通信の進行状態をアニメーションで表示することもできる。以下、図１３を参照しながら説明する。
【００５０】
図１３（Ａ）〜（Ｃ）は赤外線通信が実行中であることをアニメーションで示す図である。まず、図１２（Ａ）、（Ｂ）および（Ｃ）にそれぞれ示す点灯パターンＰ（Ａ１）、Ｐ（Ａ２）およびＰ（Ａ３）をＲＯＭ２０の状態表示点灯パターンリストに登録しておく。
【００５１】
この場合、図６のフローチャートにおいて、ＣＰＵ１０は、キー照明によりキーバックライトを点灯させた後（ステップＳ３０２、Ｓ３０３に対応）、赤外線通信が実行中であるか否かを監視する（ステップＳ３０４に対応）。そして、ＣＰＵ１０は、赤外線通信が実行であれば、点灯パターンＰ（Ａ１）、Ｐ（Ａ２）およびＰ（Ａ３）を順次繰り返し取得し（ステップＳ３０５〜Ｓ３０８に対応）、取得した点灯パターンでキーバックライトを点灯させる（ステップＳ３０９に対応）。したがって、図１２（Ａ）、（Ｂ）および（Ｃ）のような点灯パターンが繰り返し表示され、矢印が伸びるようなアニメ効果によりデータ送信を印象的に表示することができる。
【産業上の利用可能性】
【００５２】
本発明は、入力キーのカラー照明を個別に制御可能なキーバックライトを備える携帯電話機などの携帯通信端末に適用可能である。
【図面の簡単な説明】
【００５３】
【図１】本発明の一実施形態による状態表示装置の概略的機能構成を示すブロック図である。
【図２】本実施形態による状態表示装置の状態表示動作を示す概略的フローチャートである。
【図３】本発明の一実施例による携帯電話機の回路構成の要部を示したブロック図である。
【図４】本実施例による携帯電話機の外観を示す平面図である。
【図５】（Ａ）はＲＯＭ２０に格納されたキー照明点灯パターンリストの一例を示す模式図、（Ｂ）はＲＯＭ２０に格納された状態表示点灯パターンリストの一例を示す模式図である。
【図６】携帯電話の赤外線通信におけるデータ送信時の状態表示例を示すフローチャートである。
【図７】（Ａ）〜（Ｄ）は赤外線通信の進行状況に対応するデータテーブルの一例を示す図である。
【図８】赤外線通信の進行状況を示す点灯パターンの一例を示す図である。
【図９】（Ａ）〜（Ｃ）は電池レベルを表示する点灯パターンの一例を示す図である。
【図１０】（Ａ）および（Ｂ）は低電圧警報を表示する点灯パターンの一例を示す図である。
【図１１】（Ａ）〜（Ｃ）はＡＦ合焦状態を表示する点灯パターンの一例を示す図である。
【図１２】（Ａ）〜（Ｄ）はキッチンタイマの残り時間を表示する点灯パターンの一例を示す図である。
【図１３】（Ａ）〜（Ｃ）は赤外線通信が実行中であることをアニメーションで示す図である。
【符号の説明】
【００５４】
１０１  操作部
１０２  入力制御部
１０３  キーバックライト制御部
１０４  点灯パターンリストメモリ
１０５  処理部
Ｋ１−ＫＮ  入力キー
Ｌ１−ＬＮ  カラーバックライト
【図１】
2010033224.tif 000003
【図２】
2010033224.tif 000004
【図３】
2010033224.tif 000005
【図４】
2010033224.tif 000006
【図５】
2010033224.tif 000007
【図６】
2010033224.tif 000008
【図７】
2010033224.tif 000009
【図８】
2010033224.tif 000010
【図９】
2010033224.tif 000011
【図１０】
2010033224.tif 000012
【図１１】
2010033224.tif 000013
【図１２】
2010033224.tif 000014
【図１３】
2010033224.tif 000015